(57)【要約】【課題】雷の発生を効率よく検出し、消費電力を低減することができる技術を提供する。【解決手段】所定の管轄領域内で架線された架空地線への落雷を検出する雷撃検出システムであって、管轄領域内に設けられ、雷発生時の電磁波を検出する複数の第１雷検出部と、管轄領域内に設けられ、雷発生時の雷鳴音を検出する複数の第２雷検出部と、  管轄領域内に設けられ、架空地線への雷撃電流を検出する複数の第３雷検出部と、複数の第１雷検出部、複数の第２雷検出部、および複数の第３雷検出部を、それぞれの雷検出状況に応じてそれぞれの検出範囲を絞り込みながら、この順で段階的に起動させるよう、複数の第１雷検出部、複数の第２雷検出部、および複数の第３雷検出部を制御する。【選択図】図２
2018080960.tif 000002
【特許請求の範囲】
【請求項１】
所定の管轄領域内で架線された架空地線への落雷を検出する雷撃検出システムであって、
前記管轄領域内に設けられ、雷発生時の電磁波を検出する複数の第１雷検出部と、
前記管轄領域内に設けられ、雷発生時の雷鳴音を検出する複数の第２雷検出部と、
前記管轄領域内に設けられ、前記架空地線への雷撃電流を検出する複数の第３雷検出部と、
前記複数の第１雷検出部、前記複数の第２雷検出部、および前記複数の第３雷検出部を、それぞれの雷検出状況に応じてそれぞれの検出範囲を絞り込みながら、この順で段階的に起動させるよう、前記複数の第１雷検出部、前記複数の第２雷検出部、および前記複数の第３雷検出部を制御する制御部と、
を有する雷撃検出システム。
【請求項２】
前記複数の第１雷検出部のそれぞれは、第１検出範囲内で前記電磁波を検出し、
前記複数の第２雷検出部のそれぞれは、前記第１検出範囲よりも狭い第２検出範囲内で前記雷鳴音を検出し、
前記複数の第３雷検出部のそれぞれは、前記第２検出範囲よりも狭い第３検出範囲内で前記雷撃電流を検出し、
前記制御部は、
前記複数の第１雷検出部のみを起動させた状態で、前記複数の第１雷検出部によって前記電磁波を検出する第１検出処理と、
前記複数の第１雷検出部うちの少なくともいずれか１つが前記電磁波を検出したときに、当該電磁波を検出した前記第１雷検出部の前記第１検出範囲内で雷が発生したと特定する第１特定処理と、
前記第１特定処理で特定された前記第１検出範囲内に含まれる前記複数の第２雷検出部のうちの少なくともいずれか１つを起動させる第２起動処理と、
前記第２起動処理で起動させた前記複数の第２雷検出部うちの少なくともいずれか１つが前記雷鳴音を検出したときに、当該雷鳴音を検出した前記第２雷検出部の前記第２検出範囲内で雷が発生したと特定する第２特定処理と、
前記第２特定処理で特定された前記第２検出範囲内に含まれる前記複数の第３雷検出部のうちの少なくともいずれか１つを起動させる第３起動処理と、
前記第３起動処理で起動させた前記複数の第３雷検出部うちの少なくともいずれか１つが前記雷撃電流を検出したときに、当該雷撃電流を検出した前記第３雷検出部の前記第３検出範囲内で前記架空地線に対して落雷が発生したと特定する第３特定処理と、
を行わせるよう、前記複数の第１雷検出部、前記複数の第２雷検出部、および前記複数の第３雷検出部を制御する請求項１に記載の雷撃検出システム。
【請求項３】
前記制御部は、
前記第１特定処理では、前記複数の第１雷検出部が前記電磁波を検出したときに、前記複数の第１雷検出部のそれぞれから雷発生領域までの距離に基づいて、当該雷発生領域を前記管轄領域内でグリッド状に区画された単位領域群によって特定し、
前記第２起動処理では、当該雷発生領域として特定された前記単位領域群内に含まれるか、或いはそれに近接する前記複数の第２雷検出部のうちの少なくともいずれか１つを起動させる請求項２に記載の雷撃検出システム。
【請求項４】
前記制御部は、
前記第２特定処理では、前記複数の第２雷検出部うちの少なくとも２つの第２雷検出部が雷鳴音を検出したときに、当該２つの第２雷検出部のそれぞれが検出した前記雷鳴音の到達時間差に基づいて、当該２つの第２雷検出部のそれぞれの位置を焦点とする双曲線を求め、当該双曲線上に雷発生領域が位置していると特定し、
前記第３起動処理では、当該雷発生領域内に含まれるか、或いはそれに近接する前記複数の第３雷検出部のうちの少なくともいずれか１つを起動させる請求項２又は３に記載の雷撃検出システム。
【請求項５】
前記制御部は、
前記第２特定処理では、前記複数の第２雷検出部うちの少なくとも３つの第２雷検出部が雷鳴音を検出したときに、当該３つの第２雷検出部のそれぞれが検出した前記雷鳴音の到達時間差に基づいて、当該３つの第２雷検出部のうちの２つの第２雷検出部のそれぞれの位置を焦点とする双曲線を２組以上求め、当該２組以上の双曲線の交点上に前記雷発生領域が位置していると特定する請求項４に記載の雷撃検出システム。
【請求項６】
所定の管轄領域内で架線された架空地線への落雷を検出する雷撃検出方法であって、
前記管轄領域内に、雷発生時の電磁波を検出する複数の第１雷検出部と、雷発生時の雷鳴音を検出する複数の第２雷検出部と、前記架空地線への雷撃電流を検出する複数の第３雷検出部と、を配置する工程と、
前記複数の第１雷検出部、前記複数の第２雷検出部、および前記複数の第３雷検出部を、それぞれの雷検出状況に応じてそれぞれの検出範囲を絞り込みながら、この順で段階的に起動させる工程と、
を有する雷撃検出方法。
【発明の詳細な説明】
【技術分野】
【０００１】
本発明は、雷撃検出システム、および雷撃検出方法に関する。
【背景技術】
【０００２】
鉄塔間に架線される架空送電線を落雷から保護するため、鉄塔の頂部間に架空地線が架線される。架空地線に落雷があった場合、落雷時に架空地線を流れる大電流（雷撃電流）によって架空地線に損傷が生じていないかを早期に確認するため、架空地線への落雷箇所を特定することが望まれる。例えば、架空地線にいわゆる雷撃センサを設け、架空地線に流れる雷撃電流の波形を検出し、その減衰特性から落雷箇所を特定するシステムが開示されている（例えば特許文献１）。
【先行技術文献】
【特許文献】
【０００３】
【特許文献１】特開２００３−１７２７５８号公報
【発明の概要】
【発明が解決しようとする課題】
【０００４】
しかしながら、特許文献１に記載のシステムでは、不定期または不測的に発生する雷に対して、システムを常時起動させておく必要があった。また、瞬時的な雷撃電流によって落雷箇所を特定するため、雷撃センサのサンプリングレートを常に高く設定しておく必要があった。このため、雷撃センサの消費電力が大きくなり、その電源装置の容量が大きくなっていた。また、雷撃センサから送信されるデータを常時収集・処理する制御部の負荷が多くなり、その消費電力も大きくなっていた。これらの結果、システムが複雑化し、高価なものとなっており、電力会社が当該システムを導入し難くなっていた。
【０００５】
本発明の目的は、雷の発生を効率よく検出し、消費電力を低減することができる技術を提供することである。
【課題を解決するための手段】
【０００６】
本発明の一態様によれば、
所定の管轄領域内で架線された架空地線への落雷を検出する雷撃検出システムであって、
前記管轄領域内に設けられ、雷発生時の電磁波を検出する複数の第１雷検出部と、
前記管轄領域内に設けられ、雷発生時の雷鳴音を検出する複数の第２雷検出部と、
前記管轄領域内に設けられ、前記架空地線への雷撃電流を検出する複数の第３雷検出部と、
前記複数の第１雷検出部、前記複数の第２雷検出部、および前記複数の第３雷検出部を、それぞれの雷検出状況に応じてそれぞれの検出範囲を絞り込みながら、この順で段階的に起動させるよう、前記複数の第１雷検出部、前記複数の第２雷検出部、および前記複数の第３雷検出部を制御する制御部と、
を有する雷撃検出システムが提供される。
【０００７】
本発明の他の態様によれば、
所定の管轄領域内で架線された架空地線への落雷を検出する雷撃検出方法であって、
前記管轄領域内に、雷発生時の電磁波を検出する複数の第１雷検出部と、雷発生時の雷鳴音を検出する複数の第２雷検出部と、前記架空地線への雷撃電流を検出する複数の第３雷検出部と、を配置する工程と、
前記複数の第１雷検出部、前記複数の第２雷検出部、および前記複数の第３雷検出部を、それぞれの雷検出状況に応じてそれぞれの検出範囲を絞り込みながら、この順で段階的に起動させる工程と、
を有する雷撃検出方法が提供される。
【発明の効果】
【０００８】
本発明によれば、雷の発生を効率よく検出し、消費電力を低減することができる。
【図面の簡単な説明】
【０００９】
【図１】本発明の一実施形態に係る雷撃検出システムを示す概略正面図である。
【図２】本発明の一実施形態に係る雷撃検出システムを示す概略上面図である。
【図３】第３雷検出部を示す概略構成図である。
【図４】制御部を示す概略構成図である。
【図５】本発明の一実施形態に係る雷撃検出方法を示すフローチャートである。
【図６】第１特定工程での雷撃検出システムを示す概略上面図である。
【図７】第２特定工程での雷撃検出システムを示す概略上面図である。
【図８】本発明の一実施形態の変形例に係る雷撃検出システムを示す概略上面図である。
【発明を実施するための形態】
【００１０】
＜本発明の一実施形態＞
（１）雷撃検出システム
本発明の一実施形態に係る雷撃検出システム１０について、図１〜図４を用いて説明する。図１は、本実施形態に係る雷撃検出システムを示す概略正面図である。図２は、本実施形態に係る雷撃検出システムを示す概略上面図である。なお、図２は、後述する制御部４００の制御上のマップに相当する。図３は、第３雷検出部を示す概略構成図である。図４は、制御部を示す概略構成図である。
【００１１】
図１に示すように、例えば、所定の管轄領域内には、複数の鉄塔２００が設けられ、鉄塔２００間には、架空送電線１１０が架線されている。鉄塔２００の間隔は、例えば、３００ｍ以上１ｋｍ以下である。架空送電線１１０を落雷から保護するため、鉄塔２００の頂部間には、架空地線１００が架線されている。架空地線１００は、例えば、光ファイバ複合架空地線（ＯＰＧＷ：Ｏｐｔｉｃａｌ  ｆｉｂｅｒ  ｃｏｍｐｏｓｉｔｅ  ｏｖｅｒｈｅａｄ  ｇｒｏｕｎｄ  ｗｉｒｅ）として構成されている。
【００１２】
本実施形態の雷撃検出システム１０は、所定の管轄領域内で架線された架空地線１００への落雷を検出するよう構成されている。具体的には、本実施形態の雷撃検出システム１０は、第１雷検出部３２０と、第２雷検出部３４０と、第３雷検出部３６０と、制御部４００と、を備えている。以下、詳細を説明する。
【００１３】
（第１雷検出部）
図１および図２に示すように、所定の管轄領域内の複数の鉄塔２００の一部には、第１雷検出部３２０が設けられている。第１雷検出部３２０は、広範囲に亘って雷発生時の電磁波を検出する、いわゆる雷センサ（雷センサモジュール）として構成され、当該第１雷検出部３２０から雷発生領域までの距離を検出するとともに、数段階での雷の強さを電磁波の電圧値として検出することができるようになっている。
【００１４】
第１雷検出部３２０の、雷発生時の電磁波を検出可能な範囲を「第１検出範囲」としたとき、第１雷検出部３２０の第１検出範囲は、例えば、第１雷検出部３２０を中心として半径（０ｋｍ超）４０ｋｍ以下である。
【００１５】
第１雷検出部３２０は、所定の間隔で複数配置されている。本実施形態では、隣接する２つの第１雷検出部３２０同士は、例えば、互いの第１検出範囲が接するか、或いは、それらの一部が重なるように配置されている。これにより、管轄領域内で発生した雷からの電磁波を第１雷検出部３２０によって確実に検出することができる。
【００１６】
具体的には、隣接する第１雷検出部３２０同士の間隔を、例えば、４０ｋｍ以下とする。第１雷検出部３２０同士の間隔が４０ｋｍ超であると、管轄領域内で発生した雷からの電磁波を複数の第１雷検出部３２０によって検出できない領域が生じてしまう可能性がある。これに対して、隣接する第１雷検出部３２０同士の間隔を４０ｋｍ以下とすることで、管轄領域内で発生した雷からの電磁波を複数の第１雷検出部３２０によって検出できない領域の発生を抑制することができる。なお、隣接する第１雷検出部３２０同士の間隔の下限値は、特に限定されるものではないが、本実施形態では、例えば、５ｋｍ以上とする。なお、隣接する第１雷検出部３２０同士の間隔を５ｋｍ未満とする場合については、変形例として後述する。
【００１７】
また、第１雷検出部３２０は、光伝送部（不図示）を介して、架空地線１００内に設けられた光ファイバ（不図示）に接続されている。これにより、第１雷検出部３２０は、雷発生時の電磁波を検出した際に、電磁波検出に係る信号（雷発生領域までの距離、雷強さ等）を光伝送部および光ファイバを介して後述する制御部４００へ送信することができるようになっている。
【００１８】
（第２雷検出部）
所定の管轄領域内の複数の鉄塔２００の一部には、第２雷検出部３４０が設けられている。第２雷検出部３４０は、雷発生時の雷鳴音を検出する、いわゆる音センサとして構成されている。本実施形態での第２雷検出部３４０は、特に指向性を有しておらず、全方位に対して等方的に雷鳴音を検出可能になっている。
【００１９】
第２雷検出部３４０の、雷鳴音を検出可能な範囲を「第２検出範囲」としたとき、第２雷検出部３４０の第２検出範囲は、上述の第１雷検出部３２０の第１検出範囲よりも狭く、例えば、第２雷検出部３４０を中心として半径（０ｋｍ超）１０ｋｍ以下である。
【００２０】
第２雷検出部３４０は、上述の隣接する第１雷検出部３２０同士の間隔よりも狭い間隔で、複数配置されている。本実施形態では、隣接する２つの第２雷検出部３４０同士は、例えば、互いの第２検出範囲が接するか、或いは、それらの一部が重なるように配置されている。これにより、管轄領域内で発生した雷鳴音を第２雷検出部３４０によって確実に検出することができる。
【００２１】
具体的には、隣接する第２雷検出部３４０同士の間隔は、例えば、１０ｋｍ以下とする。第２雷検出部３４０同士の間隔が１０ｋｍ超であると、管轄領域内で発生した雷鳴音を複数の第２雷検出部３４０によって検出できない領域が生じてしまう可能性がある。これに対して、第２雷検出部３４０同士の間隔を１０ｋｍ以下とすることで、管轄領域内で発生した雷鳴音を複数の第２雷検出部３４０によって検出できない領域の発生を抑制することができる。なお、第２雷検出部３４０同士の間隔の下限値は、特に限定されるものではないが、本実施形態では、第２雷検出部３４０に係るコストを低減する観点から、例えば、鉄塔２００間隔以上、すなわち３００ｍ以上とする。
【００２２】
また、第２雷検出部３４０は、光伝送部（不図示）を介して、架空地線１００内に設けられた光ファイバ（不図示）に接続されている。これにより、第２雷検出部３４０は、雷発生時の雷鳴音を検出した際に、雷鳴音検出に係る信号（雷鳴音強度、雷鳴音ピーク到達時刻等）を光伝送部および光ファイバを介して後述する制御部４００へ送信することができるようになっている。
【００２３】
また、図２に示すように、本実施形態では、複数の第１雷検出部３２０のそれぞれに対して、当該第１雷検出部３２０の第１検出範囲内に位置する複数の第２雷検出部３４０のうちの少なくとも１つが予め対応づけられている。具体的には、例えば、管轄領域は、領域Ａ〜Ｆに区分されている。管轄領域内で区分された各領域は、該領域内に含まれる第１雷検出部３２０の第１検出範囲内となっている。例えば、領域Ｂの第１雷検出部３２０ａに対して、当該領域Ｂ内に位置する第２雷検出部３４０ａ，３４０ｂが予め対応づけられている。
【００２４】
（第３雷検出部）
所定の管轄領域内の複数の鉄塔２００の一部には、第３雷検出部３６０が設けられている。第３雷検出部３６０は、高いサンプリングレート（例えば、数ｋＨｚ〜数ＭＨｚ程度）で架空地線１００への雷撃電流を検出する、いわゆる雷撃センサとして構成されている。
【００２５】
具体的には、図３に示すように、第３雷検出部３６０は、例えば、カレントトランス（ＣＴ）部３６１と、計測部３６６と、電源装置３６８と、を有している。カレントトランス部３６１は、例えば、架空地線１００を囲むようリング状に構成され強磁性体からなるカレントトランスコア３６２と、カレントトランスコア３６２に複数回巻回されたカレントトランスコイル３６３と、を有している。カレントトランス部３６１は、架空地線１００に雷撃電流が流れたときに、架空地線１００の周囲でカレントトランスコア３６２に生じる磁界の電磁誘導によって、カレントトランスコイル３６３に誘導電流を生じさせるようになっている。計測部３６６は、カレントトランスコイル３６３に生じた誘導電流に基づいて、所定のサンプリングレートで架空地線１００に流れた雷撃電流を間接的に計測するよう構成されている。電源装置３６８は、計測部３６６に対して電力を供給するよう構成されている。なお、本実施形態の第３雷検出部３６０は、後述するように、常時起動するのではなく、必要な場合に応じて一時的に起動するため、第３雷検出部３６０の電源装置３６８の容量は、上述した従来の雷撃センサに付属される電源装置の容量に比べて小さくなっている。
【００２６】
第３雷検出部３６０の、雷撃電流を検出可能な範囲を「第３検出範囲」としたとき、第３雷検出部３６０の第３検出範囲は、上述の第２雷検出部３４０の第２検出範囲よりも狭く、例えば、第３雷検出部３６０を中心として半径（０ｋｍ超）３ｋｍ以下である。
【００２７】
第３雷検出部３６０は、上述の隣接する第２雷検出部３４０同士の間隔よりも狭い間隔で、複数配置されている。本実施形態では、隣接する２つの第３雷検出部３６０同士は、例えば、互いの第３検出範囲が接するか、或いは、それらの一部が重なるように配置されている。これにより、管轄領域内で発生した雷鳴音を第３雷検出部３６０によって確実に検出することができる。
【００２８】
具体的には、第３雷検出部３６０は、例えば、それぞれの鉄塔２００ごとに設けられており、すなわち、隣接する第３雷検出部３６０同士の間隔は、例えば、３００ｍ以上１ｋｍ以下である。これにより、どの架空地線１００に対して落雷が生じたとしても、少なくとも１つの第３雷検出部３６０によって雷撃電流を確実に検出することができる。
【００２９】
また、第３雷検出部３６０（の計測部３６６）は、光伝送部（不図示）を介して、架空地線１００内に設けられた光ファイバ（不図示）に接続されている。これにより、第３雷検出部３６０は、架空地線１００への雷撃電流を検出した際に、雷撃電流検出に係る信号（雷撃電流値、その距離減衰特性等）を光伝送部および光ファイバを介して後述する制御部４００へ送信することができるようになっている。
【００３０】
（制御部）
制御部（中央制御装置）４００は、第１雷検出部３２０、第２雷検出部３４０および第３雷検出部３６０を、それぞれの雷検出状況に応じてそれぞれの検出範囲を絞り込みながら、この順で段階的に起動させるよう、第１雷検出部３２０、第２雷検出部３４０および第３雷検出部３６０を制御するように構成されている。
【００３１】
図４に示すように、制御部４００は、例えば、ＣＰＵ（Ｃｅｎｔｒａｌ  Ｐｒｏｃｅｓｓｉｎｇ  Ｕｎｉｔ）４１０、ＲＡＭ（Ｒａｎｄｏｍ  Ａｃｃｅｓｓ  Ｍｅｍｏｒｙ）４２０、記憶装置４３０、Ｉ／Ｏポート４４０を有している。ＲＡＭ４２０、記憶装置４３０、Ｉ／Ｏポート４４０は、ＣＰＵ４１０とデータ交換可能に構成されている。また、制御部４００には、入出力装置４５０が接続されている。
【００３２】
Ｉ／Ｏポート４４０は、光伝送部４７０を介して、架空地線１００内に設けられた光ファイバ（不図示）に接続されている。これにより、制御部４００は、光伝送部４７０および光ファイバを介して第１雷検出部３２０、第２雷検出部３４０および第３雷検出部３６０と信号を送受信することができるようになっている。
【００３３】
記憶装置４３０は、第１雷検出部３２０、第２雷検出部３４０および第３雷検出部３６０の制御に係る各種データやプログラムを記憶するよう構成されている。例えば、記憶装置４３０は、管轄領域内のマップ、第１雷検出部３２０、第２雷検出部３４０および第３雷検出部３６０のそれぞれの位置情報、管轄領域内のグリッド状に区画された単位領域、第１雷検出部３２０、第２雷検出部３４０および第３雷検出部３６０のそれぞれが検出した雷発生領域等を読み出し可能に記憶するよう構成されている。
【００３４】
ＲＡＭ４２０は、ＣＰＵ４１０によって記憶装置４３０から読み出される各種データやプログラム等が一時的に保持されるよう構成されている。
【００３５】
ＣＰＵ４１０は、記憶装置４３０に格納された所定プログラムを実行することにより、第１雷検出部３２０、第２雷検出部３４０および第３雷検出部３６０を制御するように構成されている。制御部４００の制御による雷撃検出方法については、詳細を後述する。
【００３６】
これらの処理を実行するための所定プログラムは、制御部４００にインストールして用いられるが、そのインストールに先立ち、制御部４００で読み取り可能な記憶媒体に格納されて提供されるものであってもよいし、或いは制御部４００と接続する通信回線（光ファイバ等）を通じて当該制御部４００へ提供されるものであってもよい。
【００３７】
入出力装置４５０は、雷撃検出システム１０の管理者等に対して、必要に応じて、上記した管轄領域内のマップや雷発生領域等の情報出力を行ったり、該管理者が情報入力を行ったりするよう構成されている。具体的には、入出力装置４５０は、液晶ディスプレイまたは有機ＥＬディスプレイなどを含むタッチパネルとして構成されている。
【００３８】
（２）雷撃検出方法
次に、図２、図５〜図７を用い、本実施形態に係る架空線の雷撃検出方法について説明する。図５は、本実施形態に係る雷撃検出方法を示すフローチャートである。なお、ステップをＳと略している。図６は、第１特定工程での雷撃検出システムを示す概略上面図である。図７は、第２特定工程での雷撃検出システムを示す概略上面図である。なお、以下の説明において、第１雷検出部３２０、第２雷検出部３４０および第３雷検出部３６０の動作等は、制御部４００により制御される。
【００３９】
（Ｓ１０：配置工程）
まず、図２に示すように、所定の管轄領域内に、複数の第１雷検出部３２０と、複数の第２雷検出部３４０と、複数の第３雷検出部３６０と、を配置する。このとき、隣接する第１雷検出部３２０同士の間隔、隣接する第２雷検出部３４０同士の間隔、隣接する第３雷検出部３６０同士の間隔が、この順で狭くなるように、それぞれの検出部を配置する。
【００４０】
（Ｓ１１０：第１検出工程）
次に、複数の第２雷検出部３４０および複数の第３雷検出部３６０を停止させつつ、複数の第１雷検出部３２０のみを起動させた状態で、複数の第１雷検出部３２０によって雷発生時の電磁波を検出する。なお、天候が晴天か雨天かなどにかかわらず、第１雷検出部３２０を連続的に稼動させ、雷発生時の電磁波を常に検出できるようにしておく。
【００４１】
（Ｓ１２０：電磁波検出判断工程）
複数の第１雷検出部３２０のうちの少なくともいずれか１つが雷発生時の電磁波を検出したか否かを判断する。全ての第１雷検出部３２０が雷発生時の電磁波を検出していないとき（Ｓ１２０でＮｏ）、第１検出工程Ｓ１１０を継続する。
【００４２】
（Ｓ１３０：第１特定工程）
複数の第１雷検出部３２０のうちの少なくともいずれか１つが雷発生時の電磁波を検出したとき（Ｓ１２０でＹｅｓ）、当該電磁波を検出した第１雷検出部３２０は、電磁波検出に係る信号を制御部４００へ送信する。そして、制御部４００は、電磁波を検出した第１雷検出部３２０の第１検出範囲内で雷が発生したと特定する。
【００４３】
具体的には、例えば、図６に示すように、制御部４００の制御上のマップにおいて、管轄領域を、グリッド状の複数の単位領域によって予め区画しておく。なお、単位領域の一辺の距離を、例えば、１００ｍ以上５ｋｍ以下とする。ここで、例えば、第１雷検出部３２０ａ〜３２０ｃが、それぞれの第１検出範囲内で雷発生時の電磁波を検出したとする。このとき、第１雷検出部３２０ａ〜３２０ｃのそれぞれでは、第１雷検出部３２０ａ〜３２０ｃのそれぞれから雷発生領域ＴＡ１までの距離と、雷発生領域ＴＡ１での雷の強さとを検出する。そして、第１雷検出部３２０ａ〜３２０ｃのそれぞれから雷発生領域ＴＡ１までの距離と、雷発生領域ＴＡ１での雷の強さとに基づいて、雷発生領域ＴＡ１を単位領域群によって二次元的にマッピングして特定する。例えば、図６に示すように、雷発生領域ＴＡ１のうち、雷が強い部分を濃い灰色領域で示し、雷が弱い部分を薄い灰色領域で示す。これにより、雷発生領域ＴＡ１の位置関係を視覚的に容易に把握することができる。なお、この場合では、例えば、雷発生領域ＴＡ１として特定された単位領域群が、領域Ｂと領域Ｄとに重なっていることを把握することができる。
【００４４】
（Ｓ２１０：第２起動工程）
次に、第１特定工程Ｓ１３０で特定された第１検出範囲内に含まれる複数の第２雷検出部３４０のうちの少なくともいずれか１つを起動させる。
【００４５】
具体的には、例えば、上述のように、領域Ｂの第１雷検出部３２０ａに対して、当該領域Ｂ内に位置する第２雷検出部３４０ａ，３４０ｂが予め対応づけられ、一方で、領域Ｄの第１雷検出部３２０ｃに対して、当該領域Ｄ内に位置する第２雷検出部３４０ｃ，３４０ｄが予め対応づけられている。ここで、上述の第１特定工程Ｓ１３０では、雷発生領域ＴＡ１として特定された単位領域群が、領域Ｂと領域Ｄとに重なっていた。このため、今後も領域Ｂ内および領域Ｄ内で雷が発生する可能性が高いと考えられる。そこで、第２起動工程Ｓ２１０では、雷発生領域ＴＡ１として特定された単位領域群内に含まれるか、或いはそれに近接する第２雷検出部３４０を起動させる。この場合では、雷発生領域ＴＡ１に近接する領域Ｂ内および領域Ｄ内に含まれる第２雷検出部３４０ａ〜３４０ｄを起動させる。
【００４６】
（Ｓ２２０：雷鳴音検出判断工程）
第２起動工程Ｓ２１０で第２雷検出部３４０ａ〜３４０ｄを起動させた後、第２雷検出部３４０ａ〜３４０ｄにより、雷鳴音の検出を開始する。そして、第２雷検出部３４０ａ〜３４０ｄのうちの少なくともいずれか１つが雷鳴音を検出したか否かを判断する。
【００４７】
第２起動工程Ｓ２１０で起動させた全ての第２雷検出部３４０ａ〜３４０ｄが、所定時間、雷鳴音を検出していないとき（Ｓ２２０でＮｏ）、現在の雷発生領域が第１特定工程Ｓ１３０で特定した雷発生領域ＴＡ１の位置から移動したか、或いは、雷が止んだと考えられるため、第２雷検出部３４０ａ〜３４０ｄを停止させる（Ｓ２３０）。そして、所定の第２雷検出部３４０が雷鳴音を検出するまで、第１検出工程Ｓ１１０から雷鳴音検出判断工程Ｓ２２０までの一連の工程を繰り返す。
【００４８】
（Ｓ２４０：第２特定工程）
第２起動工程Ｓ２１０で起動させた第２雷検出部３４０ａ〜３４０ｄのうちの少なくともいずれか１つが雷鳴音を検出したとき（Ｓ２２０でＹｅｓ）、当該雷鳴音を検出した第２雷検出部３４０は、雷鳴音検出に係る信号を制御部４００へ送信する。そして、制御部４００は、雷鳴音を検出した第２雷検出部３４０の第２検出範囲内で雷が発生したと特定する。
【００４９】
具体的には、例えば、図７において、少なくとも２つの第２雷検出部３４０（例えば、第２雷検出部３４０ａ，３４０ｂ）が雷鳴音を検出したとする。このとき、音源としての雷発生領域（雷発生点）から第２雷検出部３４０ａ，３４０ｂのそれぞれまでの距離が異なるため、第２雷検出部３４０ａ，３４０ｂのそれぞれが検出した雷鳴音のピークの到達時間に差が生じている。そこで、第２雷検出部３４０ａ，３４０ｂのそれぞれが検出した雷鳴音の到達時間差（Δｔ）に基づいて、音源としての雷発生領域から第２雷検出部３４０ａ，３４０ｂのそれぞれまでの距離の差（ｖΔｔ、ただし音速をｖとする）を求める。そして、第２雷検出部３４０ａ，３４０ｂのそれぞれからの距離の差がｖΔｔで一定となる点の軌跡として、第２雷検出部３４０ａ，３４０ｂのそれぞれの位置を焦点とする双曲線ＨＣ１−１，ＨＣ１−２を、制御部４００の制御上のマップに描写する。これにより、音源である雷発生領域が、双曲線ＨＣ１−１またはＨＣ１−２上に位置していると特定することができる。なお、この条件に、雷発生領域が第２雷検出部３４０ａ，３４０ｂのそれぞれの第２検出範囲内に位置するとの条件を加えることで、雷発生領域の範囲を絞り込むことができる。
【００５０】
しかしながら、上述のように、音源である雷発生領域が双曲線ＨＣ１−１またはＨＣ１−２上に位置していると特定されたとしても、その該当範囲が広いことが考えられる。そこで、以下のようにして雷発生領域の特定精度を向上させる。
【００５１】
例えば、図７において、少なくとも３つの第２雷検出部３４０（例えば、第２雷検出部３４０ａ，３４０ｂ，３４０ｃ）が雷鳴音を検出したとする。このとき、上述したように、音源としての雷発生領域から第２雷検出部３４０ａ〜３４０ｃのそれぞれまでの距離が異なるため、第２雷検出部３４０ａ〜３４０ｃのそれぞれが検出した雷鳴音の到達時間に差が生じている。そこで、上述と同じ原理により、第２雷検出部３４０ａ〜３４０ｃのうちの２つの第２雷検出部３４０のそれぞれの位置を焦点とする双曲線を２組求める。具体的には、第２雷検出部３４０ａ，３４０ｂのそれぞれの位置を焦点とする双曲線ＨＣ１−１，ＨＣ１−２を求めるとともに、さらに、第２雷検出部３４０ｂ，３４０ｃのそれぞれの位置を焦点とする双曲線ＨＣ２−１，ＨＣ２−２を求める。これにより、音源である雷発生領域ＴＡ２が、双曲線ＨＣ１−２と双曲線ＨＣ２−１との交点上に位置していると特定することができる。なお、このとき、雷発生領域ＴＡ２を、双曲線ＨＣ１−２と双曲線ＨＣ２−１との交点を含む単位領域群として特定する。
【００５２】
（Ｓ３１０：第３起動工程）
次に、第２特定工程Ｓ２４０で特定された雷発生領域ＴＡ２内に含まれるか、或いはそれに近接する複数の第３雷検出部３６０のうちの少なくともいずれか１つを起動させる。
【００５３】
具体的には、上述の第２特定工程Ｓ２４０では、音源である雷発生領域ＴＡ２が、双曲線ＨＣ１−２と双曲線ＨＣ２−１との交点上に位置していると特定されていた。このため、今後、当該雷発生領域ＴＡ２付近において架空地線１００への落雷が発生する可能性が高いと考えられる。そこで、例えば、第２特定工程Ｓ２４０で特定された雷発生領域ＴＡ２を中心とする近接円ＰＣ２内に含まれる第３雷検出部３６０ａ〜３６０ｅを起動する。このとき、近接円ＰＣ２の範囲を、例えば、雷発生領域ＴＡ２の位置に第２雷検出部３４０が配置されているとした場合の、当該第２雷検出部３４０の第２検出範囲に相当する範囲とする。具体的には、近接円ＰＣ２の半径を、例えば、１０ｋｍ以下とする。
【００５４】
（Ｓ３２０：雷撃電流検出判断工程）
第３起動工程Ｓ３１０で第３雷検出部３６０ａ〜３６０ｅを起動させた後、第３雷検出部３６０ａ〜３６０ｅにより、高いサンプリングレートで架空地線１００に対する雷撃電流の検出を開始する。そして、第３雷検出部３６０ａ〜３６０ｅのうちの少なくともいずれか１つが雷鳴音を検出したか否かを判断する。
【００５５】
第３起動工程Ｓ３１０で起動させた全ての第３雷検出部３６０ａ〜３６０ｅが、所定時間、雷撃電流を検出していないとき（Ｓ３２０でＮｏ）、現在の雷発生領域が第２特定工程Ｓ２４０で特定した雷発生領域ＴＡ２の位置から移動したか、或いは、雷が止んだと考えられるため、第３雷検出部３６０ａ〜３６０ｅを停止させる（Ｓ３３０）。そして、再度、第２雷検出部３４０ａ〜３４０ｄにおいて、雷鳴音検出判断工程Ｓ２２０を実施する。なお、再度の雷鳴音検出判断工程Ｓ２２０でも、第２雷検出部３４０ａ〜３４０ｄにおいて雷鳴音が検出されない場合は、第１検出工程Ｓ１１０まで戻る。つまり、所定の第３雷検出部３６０が雷撃電流を検出するまで、第１検出工程Ｓ１１０から雷撃電流検出判断工程Ｓ３２０までの一連の工程を繰り返すこととなる。
【００５６】
（Ｓ３４０：第３特定工程）
第３起動工程Ｓ３１０で起動させた第３雷検出部３６０ａ〜３６０ｅのうちの少なくともいずれか１つが雷撃電流を検出したとき（Ｓ３２０でＹｅｓ）、当該雷撃電流を検出した第３雷検出部３６０は、雷撃電流検出に係る信号を制御部４００へ送信する。そして、制御部４００は、雷撃電流を検出した第３雷検出部３６０の第３検出範囲内で架空地線１００に対して落雷が発生したと特定する。なお、このとき、第３雷検出部３６０が検出した雷撃電流値やその距離減衰特性に基づいて、架空地線１００に物理的な損傷が生じた可能性があるか否かを判断し、架空地線１００の被害状況を予測してもよい。
【００５７】
その後、本実施形態に係る雷撃検出システム１０を停止させ、雷撃検出工程を終了させる。なお、第３特定工程Ｓ３４０後に終了させない場合は、雷撃電流検出判断工程Ｓ３２０に戻るようにしてもよい。
【００５８】
上述の電撃検出工程の終了後、天候が回復した際に、作業員が現地に赴き、落雷が発生したと特定された第３検出範囲内の架空地線１００に損傷が生じていないかを目視で点検する。架空地線１００に損傷が生じていた場合、架空地線１００を補修することとなる。
【００５９】
（３）本実施形態に係る効果
本実施形態によれば、以下に示す１つ又は複数の効果を奏する。
【００６０】
（ａ）本実施形態の雷撃検出システム１０では、不定期または不測的に雷が発生したときに、第１雷検出部３２０、第２雷検出部３４０および第３雷検出部３６０を、それぞれの雷検出状況に応じてそれぞれの検出範囲を絞り込みながら、この順で段階的に起動させる。高いサンプリングレートに設定することが求められる雷撃センサとしての第３雷検出部３６０を常に起動させておく必要がなく、雷が発生したときに雷発生領域に近い第３雷検出部３６０を一時的に起動させるだけで、架空地線１００への落雷の発生を検出することができる。また、必要な期間だけ第３雷検出部３６０によって雷撃電流を検出することで、第３雷検出部３６０から制御部４００に送信されるデータ量（信号量）を少なくすることができ、制御部４００にかかる負荷を低減することができる。このようにして、本実施形態では、雷の発生を効率よく検出し、消費電力を低減することができる。その結果、雷撃検出システム１０の構成を簡易化することができ、雷撃検出システム１０を安価に構築することが可能となる。
【００６１】
（ｂ）第１特定工程Ｓ１３０では、複数の第１雷検出部３２０が雷発生時の電磁波を検出したときに、複数の第１雷検出部３２０のそれぞれから雷発生領域ＴＡ１までの距離に基づいて、当該雷発生領域ＴＡ１を管轄領域内でグリッド状に区画された単位領域群によって特定する。これにより、雷発生領域ＴＡ１を容易に特定することができ、雷発生領域ＴＡ１と、複数の第２雷検出部３４０との位置関係を視覚的に容易に把握することができる。その結果、第１特定工程Ｓ１３０から第２起動工程Ｓ２１０までの工程を、制御部４００によって早急に処理することが可能となる。
【００６２】
（ｃ）第２特定工程Ｓ２４０では、複数の第２雷検出部３４０のうちの少なくとも２つの第２雷検出部３４０が雷鳴音を検出したときに、当該２つの第２雷検出部３４０のそれぞれが検出した雷鳴音の到達時間差に基づいて、当該２つの第２雷検出部３４０のそれぞれの位置を焦点とする双曲線ＨＣ１−１，ＨＣ１−２上に雷発生領域が位置していると特定する。これにより、第１特定工程１３０で特定された雷発生領域ＴＡ１よりも狭い範囲に雷発生領域を絞り込むことができる。そして、第３起動工程Ｓ３１０では、当該雷発生領域に含まれるか、或いはそれに近接する第３雷検出部３６０のみを起動させることで、データ量の多い第３雷検出部３６０の起動数を少なくすることができ、消費電力を低減することができる。
【００６３】
（ｄ）さらに、第２特定工程Ｓ２４０では、複数の第２雷検出部３４０のうちの少なくとも３つの第２雷検出部３４０が雷鳴音を検出したときに、当該３つの第２雷検出部３４０のそれぞれが検出した雷鳴音の到達時間差に基づいて、当該３つの第２雷検出部３４０のうちの２つの第２雷検出部３４０のそれぞれの位置を焦点とする双曲線を２組以上求め、当該２組以上の双曲線（ＨＣ１−２，ＨＣ２−１）の交点上に雷発生領域ＴＡ２が位置していると特定する。これにより、雷発生領域ＴＡ２の検出位置精度を向上させることができ、上記のように単に「双曲線ＨＣ１−１，ＨＣ１−２上に雷発生領域が位置している」と特定した場合よりもさらに狭い範囲に雷発生領域を絞り込むことができる。そして、第３起動工程Ｓ３１０では、上記のように絞り込んだ雷発生領域付近で第３雷検出部３６０を起動させることで、データ量の多い第３雷検出部３６０の起動数をさらに少なくすることができ、消費電力を確実に低減することができる。
【００６４】
（ｅ）第２起動工程Ｓ２１０の後に、第２起動工程Ｓ２１０で起動させた複数の第２雷検出部３４０が、所定時間、雷鳴音を検出しないときに、当該複数の第２雷検出部３４０を停止させる。複数の第２雷検出部３４０が、所定時間、雷鳴音を検出しないときには、現在の雷発生領域が第１特定工程Ｓ１３０で特定した雷発生領域ＴＡ１の位置から移動したか、或いは、雷が止んだと考えられるため、起動中の複数の第２雷検出部３４０を停止させることで、無駄な電力の消費を抑制することができる。そして、所定の第２雷検出部３４０が雷鳴音を検出するまで、第１検出工程Ｓ１１０から雷鳴音検出判断工程Ｓ２２０までの一連の工程を繰り返すことで、雷発生状況に合わせて、起動させる第２雷検出部３４０を変更していくことができる。つまり、雷撃検出システム１０を効率よく稼動させることが可能となる。
【００６５】
（ｆ）上記と同様に、第３起動工程Ｓ３１０の後に、第３起動工程Ｓ３１０で起動させた複数の第３雷検出部３６０が、所定時間、雷撃電流を検出しないときに、当該複数の第３雷検出部３６０を停止させる。複数の第３雷検出部３６０が、所定時間、雷鳴音を検出しないときには、現在の雷発生領域が第２特定工程Ｓ２４０で特定した雷発生領域ＴＡ２の位置から移動したか、或いは、雷が止んだと考えられるため、起動中の複数の第３雷検出部３６０を停止させることで、無駄な電力の消費を抑制することができる。そして、所定の第３雷検出部３６０が雷撃電流を検出するまで、第１検出工程Ｓ１１０から雷撃電流検出判断工程Ｓ３２０までの一連の工程を繰り返すことで、雷発生状況に合わせて、起動させる第３雷検出部３６０を変更していくことができる。つまり、雷撃検出システム１０を効率よく稼動させることが可能となる。
【００６６】
（ｇ）第３特定工程Ｓ３４０では、雷撃電流を検出した第３雷検出部３６０の第３検出範囲内で架空地線１００に対して落雷が発生したと特定する。第３雷検出部３６０の第３検出範囲は、雷撃検出システム１０を構成するそれぞれの検出部の検出範囲のなかでも最小の検出範囲であるため、上記の工程により、架空地線１００への落雷箇所を精度よく把握することができる。その結果、作業員による目視での点検の範囲を最小限にすることができ、点検に係る時間やコストを削減することができる。
【００６７】
＜本発明の他の実施形態＞
以上、本発明の実施形態について具体的に説明したが、本発明は上述の実施形態に限定されるものではなく、その要旨を逸脱しない範囲で種々変更可能である。
【００６８】
上述の実施形態では、隣接する第１雷検出部３２０同士の間隔が５ｋｍ以上４０ｋｍ以下である場合について説明したが、本発明はこの場合に限られない。
図８は、本実施形態の変形例に係る雷撃検出システムを示す概略上面図である。
図８の雷撃検出システム１２に示すように、第１雷検出部３２０は、例えば、それぞれの鉄塔２００ごとに設けられていてもよく、すなわち、隣接する第１雷検出部３２０同士の間隔を、例えば、３００ｍ以上５ｋｍ未満としてもよい。いわゆる雷センサとして構成される第１雷検出部３２０は安価であるため、このように多くの第１雷検出部３２０を容易に設置することができる。これにより、雷発生時に電磁波を検出する第１雷検出部３２０の個数を増やすことができ、第１特定工程Ｓ１３０での雷発生領域ＴＡ１の検出位置精度を向上させることができる。
【００６９】
上述の実施形態では、第２雷検出部３４０が、第１雷検出部３２０の設置される鉄塔２００と異なっている鉄塔に設置されている場合が示されているが、第２雷検出部３４０が、第１雷検出部３２０の設置される鉄塔２００と同じ鉄塔に設置されていてもよい。
【００７０】
上述の実施形態では、第１雷検出部３２０、第２雷検出部３４０および第３雷検出部３６０のそれぞれが、光ファイバを介して制御部４００へ各信号を送信するよう構成されている場合について説明したが、第１雷検出部３２０、第２雷検出部３４０および第３雷検出部３６０のそれぞれが、電波によって制御部４００へ各信号を送信するよう構成されていてもよい。
【００７１】
上述の実施形態では、第２特定工程Ｓ２４０において、３つの第２雷検出部３４０（第２雷検出部３４０ａ，３４０ｂ，３４０ｃ）のそれぞれが検出した雷鳴音の到達時間差に基づいて、第２雷検出部３４０ａ〜３４０ｃのうちの２つの第２雷検出部３４０のそれぞれの位置を焦点とする双曲線を２組求め、音源である雷発生領域ＴＡ２が、双曲線ＨＣ１−２と双曲線ＨＣ２−１との交点上に位置していると特定する場合について説明したが、４つ以上の第２雷検出部３４０のうちの２つの第２雷検出部３４０のそれぞれの位置を焦点とする双曲線を３組以上求め、音源である雷発生領域ＴＡ２が、これらの双曲線の交点上に位置していると特定してもよい。これにより、雷発生領域ＴＡ２の検出位置精度をさらに向上させることができる。
【００７２】
＜本発明の好ましい態様＞
以下、本発明の好ましい態様を付記する。
【００７３】
（付記１）
所定の管轄領域内で架線された架空地線への落雷を検出する雷撃検出システムであって、
前記管轄領域内に設けられ、雷発生時の電磁波を検出する複数の第１雷検出部と、
前記管轄領域内に設けられ、雷発生時の雷鳴音を検出する複数の第２雷検出部と、
前記管轄領域内に設けられ、前記架空地線への雷撃電流を検出する複数の第３雷検出部と、
前記複数の第１雷検出部、前記複数の第２雷検出部、および前記複数の第３雷検出部を、それぞれの雷検出状況に応じてそれぞれの検出範囲を絞り込みながら、この順で段階的に起動させるよう、前記複数の第１雷検出部、前記複数の第２雷検出部、および前記複数の第３雷検出部を制御する制御部と、
を有する雷撃検出システム。
【００７４】
（付記２）
前記複数の第１雷検出部のそれぞれは、第１検出範囲内で前記電磁波を検出し、
前記複数の第２雷検出部のそれぞれは、前記第１検出範囲よりも狭い第２検出範囲内で前記雷鳴音を検出し、
前記複数の第３雷検出部のそれぞれは、前記第２検出範囲よりも狭い第３検出範囲内で前記雷撃電流を検出し、
前記制御部は、
前記複数の第１雷検出部のみを起動させた状態で、前記複数の第１雷検出部によって前記電磁波を検出する第１検出処理と、
前記複数の第１雷検出部うちの少なくともいずれか１つが前記電磁波を検出したときに、当該電磁波を検出した前記第１雷検出部の前記第１検出範囲内で雷が発生したと特定する第１特定処理と、
前記第１特定処理で特定された前記第１検出範囲内に含まれる前記複数の第２雷検出部のうちの少なくともいずれか１つを起動させる第２起動処理と、
前記第２起動処理で起動させた前記複数の第２雷検出部うちの少なくともいずれか１つが前記雷鳴音を検出したときに、当該雷鳴音を検出した前記第２雷検出部の前記第２検出範囲内で雷が発生したと特定する第２特定処理と、
前記第２特定処理で特定された前記第２検出範囲内に含まれる前記複数の第３雷検出部のうちの少なくともいずれか１つを起動させる第３起動処理と、
前記第３起動処理で起動させた前記複数の第３雷検出部うちの少なくともいずれか１つが前記雷撃電流を検出したときに、当該雷撃電流を検出した前記第３雷検出部の前記第３検出範囲内で前記架空地線に対して落雷が発生したと特定する第３特定処理と、
を行わせるよう、前記複数の第１雷検出部、前記複数の第２雷検出部、および前記複数の第３雷検出部を制御する付記１に記載の雷撃検出システム。
【００７５】
（付記３）
前記制御部は、
前記複数の第１雷検出部のそれぞれに対して当該第１雷検出部の前記第１検出範囲内に位置する前記複数の第２雷検出部のうちの少なくとも１つを予め対応づけておき、
前記第２起動処理では、前記第１特定処理で特定された前記第１検出範囲に対応づけられた前記複数の第２雷検出部のうちの少なくとも１つを起動させる付記２に記載の雷撃検出システム。
【００７６】
（付記４）
前記制御部は、
前記第１特定処理では、前記複数の第１雷検出部が前記電磁波を検出したときに、前記複数の第１雷検出部のそれぞれから雷発生領域までの距離に基づいて、当該雷発生領域を前記管轄領域内でグリッド状に区画された単位領域群によって特定し、
前記第２起動処理では、当該雷発生領域として特定された前記単位領域群内に含まれるか、或いはそれに近接する前記複数の第２雷検出部のうちの少なくともいずれか１つを起動させる付記２又は３に記載の雷撃検出システム。
【００７７】
（付記５）
前記制御部は、
前記第２特定処理では、前記複数の第２雷検出部うちの少なくとも２つの第２雷検出部が雷鳴音を検出したときに、当該２つの第２雷検出部のそれぞれが検出した前記雷鳴音の到達時間差に基づいて、当該２つの第２雷検出部のそれぞれの位置を焦点とする双曲線を求め、当該双曲線上に雷発生領域が位置していると特定し、
前記第３起動処理では、当該雷発生領域内に含まれるか、或いはそれに近接する前記複数の第３雷検出部のうちの少なくともいずれか１つを起動させる付記２〜４のいずれかに記載の雷撃検出システム。
【００７８】
（付記６）
前記制御部は、
前記第２特定処理では、前記複数の第２雷検出部うちの少なくとも３つの第２雷検出部が雷鳴音を検出したときに、当該３つの第２雷検出部のそれぞれが検出した前記雷鳴音の到達時間差に基づいて、当該３つの第２雷検出部のうちの２つの第２雷検出部のそれぞれの位置を焦点とする双曲線を２組以上求め、当該２組以上の双曲線の交点上に前記雷発生領域が位置していると特定する付記５に記載の雷撃検出システム。
【００７９】
（付記７）
前記制御部は、
前記第２起動処理後に、前記第２起動処理で起動させた前記複数の第２雷検出部が、所定時間、前記雷鳴音を検出しないときに、当該複数の第２雷検出部を停止させる付記２〜６のいずれかに記載の雷撃検出システム。
【００８０】
（付記８）
前記制御部は、
前記第３起動処理後に、前記第３起動処理で起動させた前記複数の第３雷検出部が、所定時間、前記雷撃電流を検出しないときに、当該複数の第２雷検出部を停止させる付記２〜７のいずれかに記載の雷撃検出システム。
【００８１】
（付記９）
前記複数の第２雷検出部は、前記複数の第１雷検出部の間隔よりも狭い間隔で配置される付記１〜８のいずれかに記載の雷撃検出システム。
【００８２】
（付記１０）
前記複数の第１雷検出部は、前記管轄領域内で前記架空地線を架線する複数の鉄塔にそれぞれ設けられる付記１〜８のいずれかに記載の雷撃検出システム。
【００８３】
（付記１１）
前記複数の第３雷検出部は、前記複数の第２雷検出部の間隔よりも狭い間隔で配置される付記１〜１０のいずれかに記載の雷撃検出システム。
【００８４】
（付記１２）
所定の管轄領域内で架線された架空地線への落雷を検出する雷撃検出方法であって、
前記管轄領域内に、雷発生時の電磁波を検出する複数の第１雷検出部と、雷発生時の雷鳴音を検出する複数の第２雷検出部と、前記架空地線への雷撃電流を検出する複数の第３雷検出部と、を配置する工程と、
前記複数の第１雷検出部、前記複数の第２雷検出部、および前記複数の第３雷検出部を、それぞれの雷検出状況に応じてそれぞれの検出範囲を絞り込みながら、この順で段階的に起動させる工程と、
を有する雷撃検出方法。
【符号の説明】
【００８５】
１０，１２  雷撃検出システム
１００  架空地線
２００  鉄塔
３２０，３２０ａ〜３２０ｃ  第１雷検出部
３４０，３４０ａ〜３４０ｄ  第２雷検出部
３６０，３６０ａ〜３６０ｅ  第３雷検出部
３６１  カレントトランス部
３６２  カレントトランスコア
３６３  カレントトランスコイル
３６６  計測部
３６８  電源装置
４００  制御部
４１０  ＣＰＵ
４２０  ＲＡＭ
４３０  記憶装置
４４０  Ｉ／Ｏポート
４５０  入出力装置
４７０  光伝送部
【図１】
2018080960.tif 000003
【図２】
2018080960.tif 000004
【図３】
2018080960.tif 000005
【図４】
2018080960.tif 000006
【図５】
2018080960.tif 000007
【図６】
2018080960.tif 000008
【図７】
2018080960.tif 000009
【図８】
2018080960.tif 000010